(57)【要約】      （修正有）【課題】壁面据付タイプとして使用する場合でも壁面への固定作業を容易に行うことができる機器収納ボードを提供する。【解決手段】機器収納ボード１は、縦幅よりも横幅が長い矩形状の天板１３と、天板で上面を覆われ、前面側に引出し１Ｃと機器収納部１Ｂを有する収納部本体５５とを備える。収納部本体の前面側上端部には上下方向に貫通するネジ挿通孔２７を有する前方支持部材２９、３１、３３が固定されており、ネジ挿通孔に対応して天板の裏面には雌ネジ部３９が埋設されている。天板はネジ挿通孔に挿通される固定ネジ３７で収納部本体に着脱自在に固定される。天板の裏面には横位置決め部材３５が固定され、その奥行側端部は背板１７の内面に当接して縦幅方向の位置決めを行う縦位置決め部材３５ａとなる。壁面Ｗに固定する場合には、天板を外した状態でビス５７をねじ込んで固定する。【選択図】図２
0003229353.tif 000002
【実用新案登録請求の範囲】
【請求項１】
天板と、該天板で上面が覆われており、内部に機器収納部を備えて前面側に開口を有する収納部本体と、前記天板の裏面に設けられ、前記収納部本体に対する位置決めを行う位置決め部材と、前記収納部本体の前面近傍に設けられ、上下方向に貫通する複数のネジ挿通孔と、前記天板の裏面に設けられた複数の雌ネジ部とを備え、前記ネジ挿通孔に挿通された固定ネジが前記位置決め部材により位置決めされた前記天板の前記雌ネジ部に螺合することにより前記天板が前記収納部本体に着脱自在に固定されていることを特徴とする機器収納ボード。
【請求項２】
請求項１に記載した機器収納ボードにおいて、
前記収納部本体が、背板と、左右の側板と、底板と、前面側上端部の前記左右の側板間に固定された前方支持部材とを有し、前記ネジ挿通孔が前記前方支持部材に横幅方向に間隔をおいて複数形成されていることを特徴とする機器収納ボード。
【請求項３】
請求項２に記載した機器収納ボードにおいて、
前記収納部本体が機器収納部を画成する仕切板を有し、前記位置決め部材が前記収納部本体に対する横幅方向の位置決めを行う複数の横位置決め部材と、縦幅方向の位置決めを行う複数の縦位置決め部材とからなり、前記横位置決め部材が前記仕切板及び／又は前記左右の側板の側面に接することにより横幅方向の位置決めがなされ、前記縦位置決め部材が前記背板に当接することにより縦幅方向の位置決めがなされることを特徴とする機器収納ボード。
【請求項４】
請求項３に記載した機器収納ボードにおいて、
前記横位置決め部材が縦幅方向に延びる柱状の形状を有し、前記横位置決め部材の奥行側端部が前記縦位置決め部材としてなることを特徴とする機器収納ボード。
【請求項５】
請求項４に記載した機器収納ボードにおいて、
前記縦位置決め部材が奥行方向に突出する凸部を有し、前記背板は前記凸部が嵌合する凹部を有していることを特徴とする機器収納ボード。
【請求項６】
請求項１から５のいずれかに記載した機器収納ボードにおいて、
収納部本体の前面側には、開口を閉鎖する引出し及び／又は開閉扉が備えられていることを特徴とする機器収納ボード。
【考案の詳細な説明】
【技術分野】
【０００１】
本考案は、オーディオビジュアル機器（以下、ＡＶ機器と略す。）等を収納する機器収納ボードに関し、詳しくは壁面にも設置可能な機器収納ボードに関するものである。
【背景技術】
【０００２】
この種の機器収納ボードは、テレビボードやリビングボードなどとも呼ばれており、例えば特許文献１に記載されているように、横幅方向に長い直方体状の外観を有している。両サイドに引出しを有しているとともに、中央部には開閉扉が設けられ、その内部はＡＶ機器収納部となっている。
テレビジョン受像機（以下、テレビと略す。）が載る天板は、側板や裏板（背板）、仕切板にビス等で固定されている。
すなわち、引出しや開閉扉等の可動部を除く部分は、一体に固定された１つの筐体となっている。床面設置タイプでは通常底面に脚部を有しており、筐体が床面から浮いた状態となる。
この種の機器収納ボードは一般のサイドボードに比べて床面から天板までの高さが低いことから、ローボードとも呼ばれている。
【０００３】
テレビに接続されるＤＶＤ（Digital Versatile Disc）レコーダやＤＶＤプレーヤ等のＡＶ機器を、インテリア家具としての側面を有する機器収納ボード内に収納することにより、ＡＶ機器や接続配線が室内で露出することによるインテリア性の低下を抑制することができる。
ＡＶ機器収納部の開閉扉には、リモートコントローラ（以下、リモコンと略す。）から出射される信号光を通過させる、横に細長く延びるスリット状の開口部が上下方向に間隔をおいて複数形成されている。
【先行技術文献】
【特許文献】
【０００４】
【特許文献１】特開２０１６−５２３８４号公報
【考案の概要】
【考案が解決しようとする課題】
【０００５】
ところで、この種の機器収納ボードは上記のように、脚部を有する床面設置タイプが一般的であるが、壁面に宙吊り状態に固定する壁面据付タイプも存在する。
テレビの薄型化が進んだ今日では、これを壁面に固定することも少なくない。そして、テレビに接続されるＡＶ機器を同じく壁面に固定した機器収納ボード内に収納することによりインテリア性を向上させることも行われている。
しかしながら、基本的にテレビを天板上に載せることを想定して筐体が構成されているために、壁面に固定する場合、引出しを取り外したり、開閉扉を開放した状態で、奥行の長い長尺ドライバ等の工具を用いて背板を壁面にビスで固定することが行われている。
この固定作業は、例えば天板、底板、側板及び仕切板で囲まれた矩形の狭い閉空間内でボードの前面側から手を入れて行わなければならない。このため、作業スペースが狭くて作業の自由度が極めて低いとともに、天板で光が遮られてボード内が暗いこととも相まって、非常に面倒であった。
【０００６】
本考案は上記従来の問題点に着目して為されたものであり、壁面据付タイプとして使用する場合でも壁面への固定作業を容易に行うことができる機器収納ボードの提供を、その目的とする。
【課題を解決するための手段】
【０００７】
本考案は、上記目的を達成するために、この種の機器収納ボードの前面側が引出しや開閉扉が存在することにより開放可能であることを利用して、天板を容易に着脱できるようにし、これにより作業スペースを上面開放可能として壁面への固定作業を容易化することとした。
【０００８】
具体的には、請求項１の考案は、天板と、該天板で上面が覆われており、内部に機器収納部を備えて前面側に開口を有する収納部本体と、前記天板の裏面に設けられ、前記収納部本体に対する位置決めを行う位置決め部材と、前記収納部本体の前面近傍に設けられ、上下方向に貫通する複数のネジ挿通孔と、前記天板の裏面に設けられた複数の雌ネジ部とを備え、前記ネジ挿通孔に挿通された固定ネジが前記位置決め部材により位置決めされた前記天板の前記雌ネジ部に螺合することにより前記天板が前記収納部本体に着脱自在に固定されていることを特徴とする機器収納ボードである。
【０００９】
請求項２の考案は、請求項１に記載した機器収納ボードにおいて、前記収納部本体が、背板と、左右の側板と、底板と、前面側上端部の前記左右の側板間に固定された前方支持部材とを有し、前記ネジ挿通孔が前記前方支持部材に横幅方向に間隔をおいて複数形成されていることを特徴とする機器収納ボードである。
【００１０】
請求項３の考案は、請求項２に記載した機器収納ボードにおいて、前記収納部本体が機器収納部を画成する仕切板を有し、前記位置決め部材が前記収納部本体に対する横幅方向の位置決めを行う複数の横位置決め部材と、縦幅方向の位置決めを行う複数の縦位置決め部材とからなり、前記横位置決め部材が前記仕切板及び／又は前記左右の側板の側面に接することにより横幅方向の位置決めがなされ、前記縦位置決め部材が前記背板に当接することにより縦幅方向の位置決めがなされることを特徴とする機器収納ボードである。
【００１１】
請求項４の考案は、請求項３に記載した機器収納ボードにおいて、前記横位置決め部材が縦幅方向に延びる柱状の形状を有し、前記横位置決め部材の奥行側端部が前記縦位置決め部材としてなることを特徴とする機器収納ボードである。
【００１２】
請求項５の考案は、請求項４に記載した機器収納ボードにおいて、前記縦位置決め部材が奥行方向に突出する凸部を有し、前記背板は前記凸部が嵌合する凹部を有していることを特徴とする機器収納ボードである。
【００１３】
請求項６の考案は、請求項１から５のいずれかに記載した機器収納ボードにおいて、収納部本体の前面側には、開口を閉鎖する引出し及び／又は開閉扉が備えられていることを特徴とする機器収納ボードである。
【考案の効果】
【００１４】
本考案によれば、壁面据付タイプとして使用する場合でも壁面への固定作業を容易に行うことができる機器収納ボードを提供できる。
【図面の簡単な説明】
【００１５】
【図１】本考案の実施の形態に係る機器収納ボードの使用状態を示す斜視図である。
【図２】図１で示した機器収納ボードの一部省略の分解斜視図である。
【図３】図１で示した機器収納ボードの天板を示す一部省略図で、（ａ）は背面図、（ｂ）は底面図、（ｃ）は底面図に対応した側面図である。
【図４】図１で示した機器収納ボードの天板を収納部本体に嵌める前の状態を示す一部省略の図で、図２のＶ−Ｖ線での縦断面図である。
【図５】図１で示した機器収納ボードにおける天板の横位置決め部材と収納部本体側の右側板との接触状態を示す要部正面図である。
【図６】図４の状態から天板を収納部本体に嵌めて横幅方向の位置決めが完了した状態を示す一部省略の概要正面図である。
【図７】図４の状態から天板を収納部本体に嵌めて横幅方向の位置決めが完了した状態を示す一部省略の縦断面図である。
【図８】図５の状態から天板を奥行方向にずらして縦幅方向の位置決めを行った状態の一部省略の縦断面図である。
【図９】図１で示した機器収納ボードを床面設置タイプとした場合の使用状態を示す正面図である。
【考案を実施するための形態】
【００１６】
以下、本考案の実施の形態について図を参照して説明する。
図１は、本実施の形態に係る機器収納ボード１の使用状態を示している。機器収納ボード１は、床面Ｆから下面が高さｈ寸法分浮いた状態で壁面Ｗに背面側を固定して設置されている。
機器収納ボード１の上方には、保持枠３を介してテレビ５が壁面Ｗに機器収納ボード１とは分離した状態で固定されている。機器収納ボード１は、内部が空洞で横幅方向（矢印Ｘ方向）に細長い直方体状の外形を為しており、前面側に開口２を有している。更に、機器収納ボード１の内部の中央に機器収納部１Ｂが備えられ、その横幅方向両側に引出し１Ａ、１Ｃが備えられている。
機器収納部１Ｂの内部にはＡＶ機器の一例であるＤＶＤレコーダ７（図２参照）が収納されており、テレビ５とＤＶＤレコーダ７とを接続する配線９は、壁面Ｗ内を通って機器収納ボード１の背面に対向する部位から外部に引き出され、機器収納部１Ｂの背面に形成された開口部１７ｂ（図２参照）からボード内部に導入されている。
図１において、矢印Ｙは縦幅方向を、Ｙ１は奥行方向を、Ｙ２はボード前面側方向を、符号１１は巾木をそれぞれ示している。
【００１７】
図２に示すように、機器収納ボード１は、縦幅よりも横幅が長い矩形の天板１３と、天板１３で上面を覆われ、ボード前面側に引出し１Ａ、１Ｃ及び機器収納部１Ｂを有する収納部本体５５とを備えている。
収納部本体５５は、天板１３と同等の面積を有して平行に対面する底板１５と、分割構成の背板１７と、底板１５と背板１７とにそれぞれ直交状態で固定された左右の側板１９、２１と、底板１５と背板１７とにそれぞれ直交状態で固定されている。収納部本体５５の内部には仕切板２３、２５が設けられて機器収納部１Ｂが画成されている。収納部本体５５の前面側上端部において、また、収納部本体５５は仕切板２３と左側板１９との間、仕切板２３、２５間及び仕切板２５と右側板２１との間に固定された前方支持部材２９、３１、３３等を有している。
【００１８】
左右の前方支持部材２９、３３は、上下方向に貫通するネジ挿通孔２７を１つ有し、中央の前方支持部材３１は上下方向に貫通するネジ挿通孔２７を２つ有している。ネジ挿通孔２７は、収納部本体５５の前面近傍に設けられている。
【００１９】
天板１３はその裏面に、仕切板２３、２５及び左右の側板１９、２１の側面に接して収納部本体５５に対する横幅方向の位置決めをする複数の横位置決め部材３５を有している。横位置決め部材３５は縦幅方向に延びる柱状に形成され、左右の側板１９、２１及び仕切板２３、２５の位置に対応して、横幅方向に間隔をおいて複数（ここでは４つ）設けられている。横位置決め部材３５は天板１３の補強材としての機能も有している。
【００２０】
各横位置決め部材３５の奥行側端部は、縦幅方向の位置決めを行う縦位置決め部材３５ａとしてなり、縦位置決め部材３５ａには奥行方向（矢印Ｙ１方向）に突出する円柱状の凸部（ホゾ）３５ｂがその略半分を埋設されて保持されている。凸部３５ｂに対応して、背板１７には凸部３５ｂが嵌合する断面円形の凹部（ホゾ穴）１７ａが非貫通状態で形成されている。
天板１３のボード前面側（矢印Ｙ２側）の裏面には、ボード前面を開放した状態、すなわち引出し１Ａ、１Ｃを引き出し、後述する機器収納部１Ｂの開閉扉４１を開けた状態で、ネジ挿通孔２７に上向きに挿通された固定ネジ３７が螺合する雌ネジ部３９が埋設されている。
【００２１】
機器収納部１Ｂの前面側には、開閉扉４１が蝶番４３を介して上下方向に開閉可能に設けられており、その外面には横幅方向に延びる断面三角形状のスリット４１ａが上下方向に間隔をおいて複数（ここでは３つ）形成されている。スリット４１ａは家具としての機器収納ボード１のインテリア性を向上させるために設けられている。
開閉扉４１の内面側には、不図示のリモコンから出射される信号光を通過させる貫通孔４１ｂがスリット４１ａに連通して形成されている。
開閉扉４１の内面の両側には補強材４４が固定されている。また、開閉扉４１の内面の両側は、仕切板２３、２５の内面下部に固定された、回動時の動作を緩やかにするスローダウンステー４５に支持されている。
【００２２】
機器収納部１Ｂ内にはＤＶＤレコーダ７が収納されており、背板１７には開口部１７ｂが形成されている。テレビ５側の配線９は壁面Ｗの内部を通って穴Ｗａから外部に引き出され、開口部１７ｂを介して機器収納部１Ｂ内に導入されてＤＶＤレコーダ７に接続されている。
この接続作業は、天板１３を取り外した状態で行われ、上面が開放された明るく自由度の高いスペースで容易且つ迅速に行うことができる。ＤＶＤレコーダ７を他のＡＶ機器（例えばＤＶＤプレーヤ）に交換するような場合も同様の簡易な作業となる。
テレビ５の画面映りが悪くて配線９の接続不良等が想定される場合にも、天板１３を取り外して容易に確認することができる。
【００２３】
矩形の箱形状をなす引出し１Ｃの前板４７の外面には、機器収納部１Ｂの開閉扉４１と同様に、横幅方向に延びる断面三角形状のスリット４７ａが上下方向に間隔をおいて３つ形成されている。
右側板２１の内面と仕切板２５の外面には、引出し１Ｃの出し入れを円滑にするためのガイドレール４９が固定されており、引出し１Ｃの両側面にはガイドレール４９に嵌合するレールガイド５１が設けられている。
図示しないが、引出し１Ａも引出し１Ｃと同様の構成を有している。引出し１Ａ、１Ｃの前板４７に形成されるスリット４７ａは、機器収納部１Ｂの開閉扉４１のスリット４１ａと横幅方向に直線状に連なるように形成されている。
【００２４】
図３に示すように、各横位置決め部材３５は、３つのビス５３で天板１３に固定されており、横位置決め部材３５のボード前面側端部には面取りによる斜面部３５ｃが形成されている。図３において、符号１３ａは天板１３の裏面のボード前面側に設けられた指掛け用の細長い溝を示している。
図３（ｂ）に示すように、本実施の形態における天板１３のサイズは、横幅Ｌが１８００ｍｍ、縦幅Ｍが３６０ｍｍ、厚さが２０ｍｍである。天板１３は完全な長方形ではなく、その前端縁１３ｂは曲率の小さい緩やかな凸カーブ状に形成されている。また、天板１３は、前端縁１３ｂが収納部本体５５の前面を若干越えて庇状に突出する大きさを有している。天板１３を含めた機器収納ボード１の上下方向の幅（高さ）は２３５ｍｍである。
本実施の形態では、機器収納ボード１を構成する天板１３、底板１５、背板１７、左右の側板１９、２１、仕切板２３、２５、前方支持部材２９、３１、３３、引出し１Ａ、１Ｃ及び機器収納部１Ｂは木質系材料で構成されている。
【００２５】
天板１３を取り付ける場合には、図４に示すように、収納部本体５５に対して天板１３を大まかに位置合わせした状態で上方から嵌合する。
図５に示すように、横位置決め部材３５の下端側は丸く面取りされているため、目視の位置合わせが多少ずれていても面取り部分の横ずれ調整機能により最終的に右側板２１の内側面に接触しながら下降（摺動）する。
全体としては、図６に示すように、図中左端の横位置決め部材３５Ａの左側面が左側板１９の内側面に、横位置決め部材３５Ｂの右側面が仕切板２３の外側面に、横位置決め部材３５Ｃの左側面が仕切板２５の外側面に、右端の横位置決め部材３５Ｄが右側板２１の内側面にそれぞれ接触した状態で嵌合する。
これにより、収納部本体５５に対する天板１３の横幅方向の位置決めが完了する。
【００２６】
この状態では、図７に示すように、収納部本体５５に対する天板１３の縦幅方向の位置決めは完了していない。すなわち、縦位置決め部材３５ａの奥行側端面３５ｄが背板１７の内面１７ｃに当接していない。
横幅方向の位置決めを寸法的に余裕をもって行うことができるように、前方支持部材３３の奥行側端部には面取りによる斜面部３３ａが横位置決め部材３５の斜面部３５ｃと平行的に形成されている。すなわち部材間の角部が接触することによって天板１３の位置決め動作が阻害されることを防止している。
図７に示す状態から、天板１３を奥行方向にずらすと、図８に示すように、横位置決め部材３５の奥行側端部である縦位置決め部材３５ａの端面３５ｄが背板１７の内面１７ｃに当接し、これにより収納部本体５５に対する天板１３の縦幅方向の位置決めが完了する。
【００２７】
縦幅方向の位置決めが完了すると、前方支持部材２９、３１、３３に形成されたネジ挿通孔２７に天板１３の雌ネジ部３９が対向して一致する。引出し１Ａ、１Ｃをある程度引き出した状態又は収納部本体５５から完全に引き抜いた状態で、且つ、開閉扉４１を開けた状態で、固定ネジ３７を各前方支持部材２９、３１、３３のネジ挿通孔２７に通して雌ネジ部３９に螺合することにより天板１３を収納部本体５５に固定することができる。
ネジ挿通孔２７は、収納部本体５５の前面近傍に位置しているので、前面側から手を入れてすぐに固定操作を行うことができ、作業が容易となる。
固定ネジ３７による４箇所での固定により、天板１３は収納部本体５５に対して横幅方向と縦幅方向のいずれにも位置ずれしない状態となる。
【００２８】
また、縦位置決め部材３５ａの凸部（ホゾ）３５ｂが背板１７の凹部（ホゾ穴）１７ａに嵌合することにより、収納部本体５５に対する天板１３の奥行側端部の上下方向の位置決めが完了する。縦幅方向の位置決めを阻害しないように、凹部（ホゾ穴）１７ａの深さは凸部（ホゾ）３５ｂの突出長さよりも大きく設定されている。
背板１７の内面１７ｃに縦位置決め部材３５ａの端面３５ｄが当接する縦幅方向の位置決め完了状態のみでは、天板１３の厚み方向（上下方向）の経時的な反りを抑制できないが、凸部３５ｂの凹部１７ａへの嵌合により、環境条件の変化による経時的な天板１３の反りの発生を防止できる。
【００２９】
機器収納部１Ｂに収納されているＡＶ機器を取り替えるために、天板１３を取り外す場合には、両側の引出し１Ａ、１Ｃを取り外すかある程度引き出した状態にし、且つ機器収納部１Ｂの開閉扉４１を開けた状態で、ドライバ等の工具で固定ネジ３７を外せば、あとは構成上の嵌合を外すだけであるので、作業が容易となる。
すなわち、工具を用いた天板１３の着脱作業は固定ネジ３７の箇所（ここでは４箇所）のみであり、それ以外は工具を用いずに天板１３を動かすだけの作業となる。
【００３０】
収納部本体５５の壁面Ｗへの固定作業は、天板１３を取り外すとともに引出し１Ａ、１Ｃをある程度引き出した状態とし、ＡＶ機器を収納していない軽量化した状態で行われる。
この状態で、図２に示すように、収納部本体５５の開放された上面側から短尺のドライバ等の工具を用いてビス５７を背板１７にねじ込んで貫通させ、さらに壁面Ｗの内部の不図示の芯材にねじ込む作業となる。
上面が開放された明るく自由度の大きいスペースでの作業となるので、作業が極めて容易となり、作業時間も短縮できる。収納部本体５５を壁面Ｗに固定した後、上述の方法で天板１３を収納部本体５５に固定する。
【００３１】
上記の実施の形態では、機器収納ボード１を壁面据付タイプとして説明したが、図９に示すように、底板１５に脚部５９を付ければ床面設置タイプとして利用することができる。脚部５９は底板１５の左右両側部に奥行方向へ間隔をあけて２本ずつ配置され、更に底板１５のほぼ中心に１本設けられて、合計５本備えられている。
室内の模様替え等により壁面据付タイプとする必要性が生じた場合には、脚部５９を取り外して上述の方法により容易に壁面Ｗに固定することができる。
【００３２】
以上、本考案の実施の形態について詳述してきたが、具体的構成は、上記の各実施の形態に限定されるものではなく、本考案の趣旨を逸脱しない範囲における設計の変更があっても考案に含まれる。
例えば、上記実施の形態では、縦幅よりも横幅が長い機器収納ボード１を示したが、縦幅よりも横幅が短いものも本考案に含まれる。このような構成とした場合には、天板も縦幅よりも横幅が短い矩形のものとなる。また、天板は矩形に限定されず、例えば前面側の縁部が円弧状となった平板状、平面視台形の平板状であってもよい。
引出し１Ａ、１Ｃ及び機器収納部１Ｂの配置は上記実施の形態に限定されず、例えば引出しを中央に配置する構成としてもよい。更に、引出し及び／又は開閉扉を有する構成としてもよい。すなわち、引出しだけを設けた構成、または開閉扉を有する収納部だけを設けた構成とすることも可能である。また、引出し、機器収納部の数は上記実施の形態に限定されず、任意に設定することが可能である。更に、引出し、機器収納部を設けず前面側に開口を有する構成とすることも可能である。
なお、本考案は開閉扉と引出しの前板のスリットの形状、その数、更にスリットの有無等を含めて、実施の形態と異なるデザインの機器収納ボードにも適用される。
機器収納ボード１の材質は木質系材料だけでなく、プラスチックや金属の複合構成でもよい。機器収納ボード１のサイズも上記に限定されない。
縦位置決め部材３５ａは横位置決め部材３５とは別個に設ける構成としてもよい。
また、背板１７や前方支持部材２９、３１、３３を分割構成としたが、１枚板構成としてもよい。天板１３を固定ネジ３７で固定する箇所の数も上記に限定されない。
【００３３】
上記実施の形態では、収納部本体５５の壁面Ｗへの固定作業を、天板１３を取り外すとともに引出し１Ａ、１Ｃをある程度引き出した状態で行う場合を示したが、引出し１Ａ、１Ｃを取り外した状態で行ってもよいのは勿論である。
また、上記実施の形態では、引出し１Ａ、１Ｃ、開閉扉４１を備える構成としたが、本考案はこれに限定されず、引出し１Ａ、１Ｃ、開閉扉４１のいずれも備えない構成とすることも可能である。引出し１Ａ、１Ｃ、開閉扉４１の有無にかかわらず、天板１３を着脱自在とすることでＡＶ機器を交換する作業を極めて容易に行うことができる。
【符号の説明】
【００３４】
１…機器収納ボード    １Ａ、１Ｃ…引出し            １Ｂ…機器収納部
２…開口            １３…天板      １５…底板    １７…背板    １７ａ…凹部
１７ｂ…開口部        １９…左側板    ２１…右側板  ２３、２５…仕切板
２７…ネジ挿通孔      ２９、３１、３３…ネジ挿通部材としての前方支持部材
３５…横位置決め部材  ３５ａ…縦位置決め部材        ３５ｂ…凸部  ３７…固定ネジ
３９…雌ネジ部        ５５…収納部本体
【図１】
0003229353.tif 000003
【図２】
0003229353.tif 000004
【図３】
0003229353.tif 000005
【図４】
0003229353.tif 000006
【図５】
0003229353.tif 000007
【図６】
0003229353.tif 000008
【図７】
0003229353.tif 000009
【図８】
0003229353.tif 000010
【図９】
0003229353.tif 000011